(57)【特許請求の範囲】
【請求項１】
複数の吐水部を有するとともに、水栓本体が筒形の外ハウジングと内ハウジングとを有する混合水栓において、
前記外ハウジングと内ハウジングとの間の空間には流路が形成してあり、
それら外ハウジングと内ハウジングとにまたがって、それぞれが吐止水及び流量調節の各機能を備えた吐止水バルブユニットが前記吐水部の数に対応した数で複数設けてあり、
前記内ハウジングの軸方向の端部には、該内ハウジングに流入した水と湯とを混合する混合バルブユニットが組み込んであるとともに、該内ハウジングの内部には、該混合バルブユニットからの混合水を前記複数の吐止水バルブユニットのそれぞれに送る主流路が設けてあり、
何れかの前記吐止水バルブユニットの操作により、対応する何れかの前記吐水部と前記主流路とを連絡する流路の開閉及び開度調節を行って該吐水部からの吐止水及び流量調節を行うようになしてあることを特徴とする混合水栓。
【請求項２】
複数の吐水部を有するとともに、水栓本体が筒形の外ハウジングと内ハウジングとを有する混合水栓において、
前記外ハウジングと内ハウジングとにまたがって、それぞれが吐止水及び流量調節の各機能を備えた吐止水バルブユニットが前記吐水部の数に対応した数で複数設けてあり、
前記内ハウジングの軸方向の端部には、該内ハウジングに流入した水と湯とを混合する混合バルブユニットが組み込んであるとともに、該内ハウジングの内部には、該混合バルブユニットからの混合水を前記複数の吐止水バルブユニットのそれぞれに送る主流路が設けてあり、
何れかの前記吐止水バルブユニットの操作により、対応する何れかの前記吐水部と前記主流路とを連絡する流路の開閉及び開度調節を行って該吐水部からの吐止水及び流量調節を行うようになしてあり、
前記外ハウジング及び内ハウジングとは別体をなす筒部材を、それら外ハウジングと内ハウジングとにまたがって該外ハウジング及び内ハウジングに対しシール状態で取り付けてあり、前記各吐止水バルブユニットが、該筒部材をバルブハウジングとして内部に弁機能部を組み込むことで構成してあることを特徴とする混合水栓。
【請求項３】
請求項１，２の何れかにおいて、前記混合バルブユニットは、該混合バルブユニットの軸方向を前記内ハウジングの軸方向に向けて組み込んであり、前記複数の各吐止水バルブユニットは、該内ハウジングの軸方向の異なった位置でそれぞれの軸方向を前記外ハウジング及び該内ハウジングの軸直角方向に向けて設けてあることを特徴とする混合水栓。
【請求項４】
請求項１〜３の何れかにおいて、前記内ハウジングには、前記複数の吐止水バルブユニットの各主弁を着座させる主弁座が、各吐止水バルブユニットに対応した位置に一体に形成してあることを特徴とする混合水栓。
【請求項５】
請求項１〜４の何れかにおいて、前記内ハウジングの内部の前記主流路は、前記混合バルブユニットから最も遠く離れた前記吐止水バルブユニットの位置まで直線状に延びていることを特徴とする混合水栓。
【請求項６】
請求項１〜５の何れかにおいて、該内ハウジングの内部の前記主流路から分岐し、混合水を前記外ハウジングの流出口部に向けて流出させる分岐流路が前記内ハウジングの筒壁貫通の開口部に到るまで、各吐止水バルブユニットごとに設けてあることを特徴とする混合水栓。
【請求項７】
請求項６において、前記分岐流路が前記内ハウジング自体に形成されていることを特徴とする混合水栓。
【請求項８】
請求項６，７の何れかにおいて、前記内ハウジングと外ハウジングとの間には、何れかの前記吐止水バルブユニットに対応して設けた、該内ハウジングの前記開口部と該開口部に対して異なった軸方向位置の該外ハウジングの前記流出口部とを連絡する流路を該内ハウジングと外ハウジングとの間の空間の他部から区画して形成するシール部材が設けてあることを特徴とする混合水栓。
【請求項９】
請求項７において、前記内ハウジングには前記主流路とは区画された別の副流路が該内ハウジングの軸方向に形成されていて、該副流路が、何れかの前記吐止水バルブユニットに対応した前記分岐流路の流出側の流路を形成しており、
該流出側の流路は、前記内ハウジングの前記開口部まで延びていて、該開口部が前記外ハウジングの前記流出口部に接続部にて接続されていることを特徴とする混合水栓。
【請求項１０】
請求項１〜９の何れかにおいて、前記吐止水バルブユニットとして、カランから混合水を吐止水させるカラン側の吐止水バルブユニットと、シャワーヘッドから混合水を吐止水させるシャワー側の吐止水バルブユニットとが設けてあることを特徴とする混合水栓。
【発明の詳細な説明】
【技術分野】
【０００１】
この発明は混合水栓に関し、詳しくは複数の吐水部を有するとともに水栓本体が筒形の外ハウジングと内ハウジングとを有する構造の混合水栓に関する。
【背景技術】
【０００２】
従来において、混合水栓は水栓本体の本体ボデーをなすハウジングを金属の鋳物にて一体に構成し、その内壁面に水側，湯側の１次側流路や２次側の混合水の流路等を形成する流路壁を一体に設け、そしてその内部に、湯水の混合比率を変化させて混合水の温度調節を行う混合バルブユニットや、流路切替えをなす切替バルブユニット等を収めた構造のものが一般的であった。
【０００３】
しかしながらこの混合水栓の場合、金属製のハウジングを製造する際に、複雑な構造の流路壁を内壁面に一体に設けなければならず、製造の工程数が多くなり、また技術的にも多くの困難を伴うといった問題がある。
【０００４】
これに対して下記特許文献１には、水栓本体を外ハウジングと内ハウジングとの２重ハウジング構造とし、そして外ハウジングと内ハウジングとの間の空間を１次側の水側流路となしたものが開示されている。
この特許文献１に開示のものでは、水側流路からの水を内ハウジング内に流入させるとともに、外ハウジングと内ハウジングとの間の空間を横切るように設けた湯流入流路を通じて内ハウジング内に湯を流入させ、内ハウジング内に組み込んだ混合バルブユニットにてそれら流入した水と湯とを混合するようにしている。
そして同じく内ハウジング内に組み込んだ切替バルブユニットにより、混合水の流出流路をカラン（吐水管）側とシャワー側とに切り替え、またカラン或いはシャワーからの吐水と止水及び吐水の流量調節も併せて行うようにしている。
ここで切替バルブユニットによる流路の切替え，吐止水及び流量調節は、単一の切替ハンドルの操作にて行われる。
【０００５】
この特許文献１に開示の混合水栓では、外ハウジングと内ハウジングとの間に複数の流路を区画形成しなくても良く、従って外ハウジングを構成するに際して、その内壁面に複雑な構造の流路壁を設けなくても良く、かかる外ハウジングを鋳物以外にて容易に構成することが可能である。
【０００６】
この特許文献１に開示のもので代表されるように、従来の混合水栓では、一般に切替バルブユニットにて、即ち切替ハンドルの操作ひとつでカラン側とシャワー側とに流出側の流路を切り替え、また同じ切替ハンドルの操作によって吐止水と流量調節を行うようになしており、この場合、流路切替えの際に切替ハンドルをどちらの方に操作し、切り替えたら良いのかが分かり難く、その操作を誤ってしまうといったことが生じる。
【０００７】
一方下記特許文献２には、水栓本体にカラン用の押ボタン，シャワー用の押ボタンをそれぞれ別々に設け、それらを押圧操作することで混合水をカラン側から、或いはシャワー側から吐水するようになした点が開示されている。
但しこの特許文献２にはカラン用の押ボタン，シャワー用の押ボタンにて、カラン用の開閉弁，シャワー用の開閉弁がそれぞれ吐水状態と止水状態に切り替えられるとの説明があるのみで、それら開閉弁自体の具体的な構造や取付構造等について一切開示されていない。
【先行技術文献】
【特許文献】
【０００８】
【特許文献１】特開平９−３１７９１１号公報
【特許文献２】特開２００６−２７５０８８号公報
【発明の概要】
【発明が解決しようとする課題】
【０００９】
本発明は以上のような事情を背景とし、各吐水部ごとの吐止水や流量調節の操作が分かり易く、操作性の良好な外ハウジングと内ハウジングとを水栓本体が有する混合水栓を提供することを目的としてなされたものである。
【課題を解決するための手段】
【００１０】
而して請求項１のものは、複数の吐水部を有するとともに、水栓本体が筒形の外ハウジングと内ハウジングとを有する混合水栓において、前記外ハウジングと内ハウジングとの間の空間には流路が形成してあり、それら外ハウジングと内ハウジングとにまたがって、それぞれが吐止水及び流量調節の各機能を備えた吐止水バルブユニットが前記吐水部の数に対応した数で複数設けてあり、前記内ハウジングの軸方向の端部には、該内ハウジングに流入した水と湯とを混合する混合バルブユニットが組み込んであるとともに、該内ハウジングの内部には、該混合バルブユニットからの混合水を前記複数の吐止水バルブユニットのそれぞれに送る主流路が設けてあり、何れかの前記吐止水バルブユニットの操作により、対応する何れかの前記吐水部と前記主流路とを連絡する流路の開閉及び開度調節を行って該吐水部からの吐止水及び流量調節を行うようになしてあることを特徴とする。
【００１１】
請求項２のものは、複数の吐水部を有するとともに、水栓本体が筒形の外ハウジングと内ハウジングとを有する混合水栓において、前記外ハウジングと内ハウジングとにまたがって、それぞれが吐止水及び流量調節の各機能を備えた吐止水バルブユニットが前記吐水部の数に対応した数で複数設けてあり、前記内ハウジングの軸方向の端部には、該内ハウジングに流入した水と湯とを混合する混合バルブユニットが組み込んであるとともに、該内ハウジングの内部には、該混合バルブユニットからの混合水を前記複数の吐止水バルブユニットのそれぞれに送る主流路が設けてあり、何れかの前記吐止水バルブユニットの操作により、対応する何れかの前記吐水部と前記主流路とを連絡する流路の開閉及び開度調節を行って該吐水部からの吐止水及び流量調節を行うようになしてあり、前記外ハウジング及び内ハウジングとは別体をなす筒部材を、それら外ハウジングと内ハウジングとにまたがって該外ハウジング及び内ハウジングに対しシール状態で取り付けてあり、前記各吐止水バルブユニットが、該筒部材をバルブハウジングとして内部に弁機能部を組み込むことで構成してあることを特徴とする。
【００１２】
請求項３のものは、請求項１，２の何れかにおいて、前記混合バルブユニットは、該混合バルブユニットの軸方向を前記内ハウジングの軸方向に向けて組み込んであり、前記複数の各吐止水バルブユニットは、該内ハウジングの軸方向の異なった位置でそれぞれの軸方向を前記外ハウジング及び該内ハウジングの軸直角方向に向けて設けてあることを特徴とする。
【００１３】
請求項４のものは、請求項１〜３の何れかにおいて、前記内ハウジングには、前記複数の吐止水バルブユニットの各主弁を着座させる主弁座が、各吐止水バルブユニットに対応した位置に一体に形成してあることを特徴とする。
【００１４】
請求項５のものは、請求項１〜４の何れかにおいて、前記内ハウジングの内部の前記主流路は、前記混合バルブユニットから最も遠く離れた前記吐止水バルブユニットの位置まで直線状に延びていることを特徴とする。
【００１５】
請求項６のものは、請求項１〜５の何れかにおいて、該内ハウジングの内部の前記主流路から分岐し、混合水を前記外ハウジングの流出口部に向けて流出させる分岐流路が前記内ハウジングの筒壁貫通の開口部に到るまで、各吐止水バルブユニットごとに設けてあることを特徴とする。
【００１６】
請求項７のものは、請求項６において、前記分岐流路が前記内ハウジング自体に形成されていることを特徴とする。
【００１７】
請求項８のものは、請求項６，７の何れかにおいて、前記内ハウジングと外ハウジングとの間には、何れかの前記吐止水バルブユニットに対応して設けた、該内ハウジングの前記開口部と該開口部に対して異なった軸方向位置の該外ハウジングの前記流出口部とを連絡する流路を該内ハウジングと外ハウジングとの間の空間の他部から区画して形成するシール部材が設けてあることを特徴とする。
【００１８】
請求項９のものは、請求項７において、前記内ハウジングには前記主流路とは区画された別の副流路が該内ハウジングの軸方向に形成されていて、該副流路が、何れかの前記吐止水バルブユニットに対応した前記分岐流路の流出側の流路を形成しており、該流出側の流路は、前記内ハウジングの前記開口部まで延びていて、該開口部が前記外ハウジングの前記流出口部に接続部にて接続されていることを特徴とする。
【００１９】
請求項１０のものは、請求項１〜９の何れかにおいて、前記吐止水バルブユニットとして、カランから混合水を吐止水させるカラン側の吐止水バルブユニットと、シャワーヘッドから混合水を吐止水させるシャワー側の吐止水バルブユニットとが設けてあることを特徴とする。
【発明の作用・効果】
【００２０】
以上のように本発明は、複数の吐水部を有するとともに、水栓本体が筒形の外ハウジングと内ハウジングとを有する混合水栓において、外ハウジングと内ハウジングとにまたがって、それぞれが吐止水及び流量調節の各機能を備えた吐止水バルブユニットを、吐水部の数に対応した数で複数設け、吐止水バルブユニットの操作により、対応する吐水部と上記内ハウジング内の主流路とを連絡する流路の開閉及び開度調節を行って、吐水部からの吐止水及び流量調節を行うようになしたものである。
【００２１】
かかる本発明の混合水栓では、例えばカラン，シャワーヘッド等の目的とする吐水部に対応した吐止水バルブユニットを操作するだけで（請求項１０）、各吐水部ごとに吐止水及び流量調節の必要な操作を行うことができるため、どの吐止水バルブユニットを操作すれば良いかが分かり易く、従って目的とする吐止水バルブユニットとは異なった別の吐止水バルブユニットを誤って操作してしまうといったことを防ぐことができ、操作が容易で混合水栓が使い易くなる。
【００２２】
この場合において、外ハウジング及び内ハウジングとは別体をなす筒部材を、それら外ハウジングと内ハウジングとにまたがって且つそれらに対しシール状態で取り付け、各吐止水バルブユニットを、その筒部材をバルブハウジングとして内部に弁機能部を組み込むことで構成しておくことができる（請求項２）。
このようにすることで、複数の吐止水バルブユニットのそれぞれを簡単に構成することができるとともに、それらを容易に水栓本体に組み付けることができる。
【００２３】
本発明では、混合バルブユニットを、その軸方向が内ハウジングの軸方向を向くようにして内ハウジングに組み込むとともに、各吐止水バルブユニットを、その軸方向が内ハウジングの軸直角方向を向くようにして内ハウジングの軸方向の異なった位置に設けておくことができる（請求項３）。
【００２４】
従来の混合水栓において、流路切替え，吐止水及び流量調節のための切替ハンドルは、その軸線を水栓本体の軸方向、即ち外ハウジング及び内ハウジングの軸方向に向けて組み付けられており、この場合、切替ハンドルが使用者から見て水栓本体の軸方向の端部に横向きの状態となり、操作が行いづらい。
【００２５】
しかるにこの請求項３では、各吐止水バルブユニットが外ハウジング及び内ハウジングに対し軸直角方向に向けて設けてあるため、それら吐止水バルブユニットの操作部を設けるに当って、操作部の軸線方向が外ハウジング及び内ハウジングの軸直角方向に向くように設けることができ、この場合各操作部の正面を使用者に向けて配置することができ、使用者は各操作部を正面から操作し得て操作が分かり易く容易となり、操作性を良好となすことができる。
【００２６】
本発明ではまた、上記の内ハウジングに、各吐止水バルブユニットの主弁を着座させる主弁座を、各吐止水バルブユニットに対応した位置に一体に形成しておくことができる（請求項４）。
このようにすれば、別途に弁座構成のための部品を必要とせず、所要部品点数が少なくなって、混合水栓のコストを低減することができる。
【００２７】
請求項５は、内ハウジングの内部の上記主流路を、混合バルブユニットから最も遠く離れた吐止水バルブユニットの位置まで直線状に延びる形態で形成したものである。
内ハウジングを樹脂製とする場合において、この主流路が複雑に屈曲した形状をなしていると、成形後において成形品（内ハウジング）を脱型することができず、従って内ハウジングを樹脂製とすることが実際上できないが、主流路を上記のように直線状に延びる形状で設けておいた場合、成形後の脱型に際して主流路の形状が脱型を阻害する要因とならず、従って内ハウジングを樹脂製とすることが可能となり、このことによって混合水栓のコストを安価とし、また混合水栓を軽量化することができる。
【００２８】
本発明では、内ハウジングの内部の混合水の主流路から分岐し、混合水を外ハウジングの流出口部に向けて流出させる分岐流路を内ハウジングの筒壁貫通の開口部に到るまで、各吐止水バルブユニットごとに設けておくことができる（請求項６）。
このような分岐流路を設けておけば、各吐止水バルブユニットにて対応する各分岐流路を開閉及び開度調節を行うことで、各吐水部ごとに吐止水及び吐水の流量調節を行うことができる。
【００２９】
この場合において、その分岐流路は内ハウジング自体に形成しておくことができる（請求項７）。
このようにすれば、分岐流路を形成するための部品を別途に必要とせず、必要部品点数を少なくし得て、水栓の内部構造を簡素化でき、またコストを低減することができる。
【００３０】
次に請求項８は、内ハウジングと外ハウジングとの間の空間内を区画するシール部材を設け、そのシール部材により、何れかの吐止水バルブユニットに対応して設けた上記分岐流路の末端の内ハウジングの開口部と、対応する外ハウジングの流出口部とを連絡する流路を設けたものである。
【００３１】
この請求項８によれば、上記何れかの吐止水バルブユニットの取付位置の如何に拘らず、即ちその吐止水バルブユニットの取付位置による制限を受けることなく、これに対応した外ハウジングの流出口部を任意の位置に設け、吐止水バルブユニットからの混合水を、その任意の位置の流出口部から水栓本体の外部に流出させることができる。
【００３２】
従って、例えば吐止水バルブユニットがシャワー側の吐止水バルブユニットである場合において、その取付位置の如何に拘らず流出口部を水栓本体の長手方向の中央側に配置することが可能となる。即ち水栓本体に対するシャワーホースの接続部を水栓本体の中央側に配置しておくことができる。
【００３３】
例えば流出口部即ちシャワーヘッドの接続部が、水栓本体の左右方向（長手方向）の端部側、例えば右端側に位置していると、混合水栓の設置現場においてシャワーヘッドが水栓本体に対し左側に位置していた場合、水栓本体に対するシャワーホースの接続部と、シャワーヘッドとが左右逆の位置関係となってしまう。
この場合には、水栓本体の左端側にシャワーホースの接続部を有する混合水栓を用いて対応することが必要となる。
【００３４】
しかるに請求項８によれば、流出口部即ちシャワーホースの接続部を、水栓本体の中央側に配置しておくことができるため、混合水栓の設置現場においてシャワーヘッドの位置が水栓本体に対して右側に位置している場合であっても、また左側に位置している場合であっても、同じ混合水栓を用いて対応することができ、シャワーヘッドの位置が右側であるか左側であるかによって、それに対応した混合水栓を用意しておかなくても良く、混合水栓の共通化を図ることができる。
【００３５】
次に請求項９は、請求項８においてシール部材により内ハウジングと外ハウジングとの間の空間の他部から区画して形成される流路、即ち内ハウジングの開口部と外ハウジングの流出口部とを連絡する流路を別の手段にて構成するようになしたものである。
【００３６】
具体的には、内ハウジングに形成した軸方向の副流路即ち分岐流路における流出側の流路、及び内ハウジングの開口部と外ハウジングの流出口部とを接続する接続部にて構成するようになしたもので、この請求項９によれば、請求項８のように内ハウジングと外ハウジングとの間の空間内をシール部材にて区画するといったことを行わなくても、何れかの吐止水バルブユニット、例えばシャワー側の吐止水バルブユニットからの混合水を外ハウジングから流出させる流出口部を、そのシャワー側の吐止水バルブユニットの位置の如何に拘らず、これとは軸方向の位置が異なった任意の位置に配置することが可能となる。
そしてそのことによって請求項８の効果と同様の効果を奏することができる。
【００３７】
本発明では、吐止水バルブユニットとしてカランから混合水を吐止水させるカラン側の吐止水バルブユニットと、シャワーヘッドから混合水を吐止水させるシャワー側の吐止水バルブユニットとを設けておくことができる（請求項１０）。
【００３８】
尚本発明では、各吐止水バルブユニットの操作部として、押ボタン式の吐止水操作部と回転操作式の流調ハンドルとを設けておき、吐止水操作部を押込操作するごとに吐水と止水とを切り替え、また流調ハンドルを回転操作することで流量調節を行うようになしておくことができる。
【図面の簡単な説明】
【００３９】
【図１】本発明の一実施形態の混合水栓の斜視図である。
【図２】図１の混合水栓の内部構造を示した部分断面図である。
【図３】図１の混合水栓の一部を水平方向の断面で示した図である。
【図４】図２の混合バルブユニットを周辺部とともに拡大して示した図である。
【図５】図４の混合バルブユニットの一部を分解して示した図である。
【図６】図２の吐止水バルブユニットを周辺部とともに拡大して示した図である。
【図７】図６の吐止水バルブユニットを周辺部とともに図６とは異なる断面で示した図である。
【図８】同実施形態における筒部材と外ハウジングを示した斜視図である。
【図９】同実施形態における内ハウジングの外観図である。
【図１０】（Ｃ）：図９（Ａ）のＣ−Ｃ断面図である。（Ｄ）：図９（Ａ）のＤ−Ｄ断面図である。（Ｅ）：図９（Ａ）のＥ−Ｅ断面図である。（Ｆ）：図９（Ａ）のＦ−Ｆ断面図である。
【図１１】同実施形態における吐止水バルブユニットを止水状態で示した図である。
【図１２】同実施形態における吐止水バルブユニットを吐水状態で示した図である。
【図１３】図１１の要部拡大図である。
【図１４】図１２の要部拡大図である。
【図１５】同実施形態における流量調節の際の作用説明図である。
【図１６】図１５に続く作用説明図である。
【図１７】同実施形態の流調操作部と吐止水操作部に設けられたロック機構の説明図である。
【図１８】本発明の他の実施形態の要部の図である。
【図１９】本発明の更に他の実施形態の図である。
【図２０】図１９の吐止水バルブユニットを周辺部とともに拡大して示した図である。
【図２１】本発明の更に他の実施形態の要部の図である。
【発明を実施するための形態】
【００４０】
次に本発明の実施形態を図面に基づいて詳しく説明する。
図１において、１０は本実施形態の壁付きの混合水栓（ここでは浴室用）で、図中左右方向に長手形状をなす水栓本体１２を有している。
水栓本体１２の下面からは、先端に吐水口を備えた略Ｌ字状をなすカラン（吐水管）１４が延び出しており、また背面からはシャワー側の流出口部１６が後方に突出して、そこにシャワーエルボ１８が接続されている。
このシャワーエルボ１８には、図示を省略するシャワーヘッドが可撓性のシャワーホースを介して接続される。
ここでカラン１４は、水栓本体１２の長手方向の略中央部（具体的には中央よりもやや図中左寄りの位置）から延び出しており、またシャワー側の流出口部１６も、カラン１４の延び出した位置と同じ左右方向位置に設けられている。
【００４１】
水栓本体１２の長手方向の一端側（図中左端側）には、後述の混合バルブユニット５６（図２及び図４参照）の操作部としての温調ハンドル（温度調節ハンドル）２０が設けられている。
一方水栓本体１２の背面側には、給水管を兼ねた水側のクランク脚２２、及び給水管を兼ねた湯側のクランク脚２４がそれぞれ接続されている。
本実施形態の混合水栓１０は、これら一対のクランク脚２２，２４によって後方の壁に取り付けられている。
【００４２】
水栓本体１２の前面にはカバー２６が取り付けられており、このカバー２６から露出し突き出す状態で、後述のカラン側の吐止水バルブユニット８０の操作部２８と、シャワー側の吐止水バルブユニット８２の操作部３０とが長手方向、即ち水栓本体１２の軸方向に位置を隔てて設けられている。
詳しくは、操作部２８は水栓本体１２の略中央部（詳しくは中央よりやや左寄りの位置）に、また操作部３０は水栓本体１２の、上記温調ハンドル２０とは反対側の長手方向の端部側（図中右端側）に設けられている。
【００４３】
これら操作部２８，３０は、それぞれ押ボタン式の吐止水操作部３２と回転ハンドル式の流調操作部３４とを有している。
尚、操作部２８における吐止水操作部３２と、操作部３０における吐止水操作部３２とは同一の構成であり、また同様に操作部２８における流調操作部３４と、操作部３０における流調操作部３４も同様の構成のものである。
【００４４】
この実施形態では、押ボタン式の吐止水操作部３２を押込操作するごとに吐水と止水とが行われる。
このとき、吐止水操作部３２は吐水状態で突出した位置に保持され、また止水状態で押込位置に位置して、そこに位置保持される。
而してこの実施形態では、操作部２８側の吐止水操作部３２を押込操作することでカラン１４からの吐水と止水とが行われ、また操作部２８側の流調操作部３４を回転操作することでカラン１４からの吐水の流量が調節される。
一方操作部３０側の吐止水操作部３２を押込操作することでシャワーヘッド（以下シャワー側とすることがある）からの吐水と止水とが行われ、また操作部３０側の流調操作部３４を回転操作することでシャワー側からの吐水の流量が調節される。
【００４５】
尚、操作部２８の吐止水操作部３２及び流調操作部３４，操作部３０の吐止水操作部３２及び流調操作部３４は、図７に示しているようにその軸線を傾斜させた状態で取り付けられており、それぞれの前面（頂面）が前方斜め上向きをなしている。
また各操作部２８，３０は、それぞれその正面（前面）が、混合水栓１０の前方の使用者を向くようにして、水栓本体１２に設けられている。
【００４６】
図２に示しているように、水栓本体１２は横断面の内面形状が円形をなす略円筒状の金属製の外ハウジング３６を本体ボデーとして有しており、またその内側において、同じく横断面の内面形状が円形をなす樹脂製の略円筒状の内ハウジング３８を有している。
即ちこの実施形態の混合水栓１０は、水栓本体１２が２重ハウジング構造をなしている。
ここで外ハウジング３６及び内ハウジング３８は、それぞれ図中右端が開口部６０，６２とされていて、それら開口部６０，６２が蓋体６４，６６にて水密シール状態に閉鎖されている。
【００４７】
内ハウジング３８は、長手方向即ち軸方向に分割された第１部材３８-１と第２部材３８-２とから成っている。
一方の第１部材３８-１には、図中左端部に大径の雌嵌合部４０が設けられ、そこに第２部材３８-２の右端部から成る雄嵌合部４２がシール材による水密シール状態で嵌合され、以て第１部材３８-１と第２部材３８-２とが軸方向に結合されている。
【００４８】
この内ハウジング３８の軸方向端部、詳しくは第２部材３８-２の内部には混合バルブユニット５６が組み付けられ、保持されている。
ここで混合バルブユニット５６は、その軸方向が内ハウジング３８の軸方向を向くようにして、内ハウジング３８の第２部材３８-２に組み込まれている。
【００４９】
外ハウジング３６の内面は、基本的に凹凸を有しない平滑な面とされていて、そこには複数の流路を区画形成するための流路壁は突出形成されていない。
この外ハウジング３６と内ハウジング３８との間に形成される空間は、基本的に軸方向の一端から他端にかけて単一の空間を形成している。
この実施形態では、これら外ハウジング３６と内ハウジング３８との間に形成される空間は、その全体が単一の流路、ここでは１次側の水側流路４４を形成している。
【００５０】
図３に示しているように、外ハウジング３６には図中右端側の位置に開口部４６が設けられており、そこに筒部材がねじ結合されることで、外ハウジング３６に水の流入口部４８が設けられている。
そしてその流入口部４８に対して、上記の水側のクランク脚２２が締結ナット５０にて結合されている。
【００５１】
クランク脚２２を通じて供給された水は、この流入口部４８を通じて外ハウジング３６内に流入する。
そして流入した水は、水側流路４４を通じて図３中左向きに流れ、そして内ハウジング３８に設けられた水流入開口５２を通じて内ハウジング３８の内部、具体的にはその第２部材３８-２の内部に流入する。
【００５２】
外ハウジング３６にはまた、図中左端側の位置に開口部５４が設けられており、そこに筒部材がねじ結合されることで、外ハウジング３６に湯の流入口部５７が設けられている。
そしてその湯の流入口部５７に対して、湯側のクランク脚２４が締結ナット５０にて結合されている。
【００５３】
この湯の流入口部５７は、外ハウジング３６の開口部５４と内ハウジング３８、具体的には第２部材３８-２の湯流入開口５８とを接続する接続部を兼ねており、クランク脚２４から供給された湯は、湯流入口部５７を通じ、外ハウジング３６と内ハウジング３８との間の空間を軸直角方向に横切り、内ハウジング３８の湯流入開口５８から内ハウジング３８内部に流入する。
内ハウジング３８の内部に流入した水と湯とは、上記の混合バルブユニット５６により、温調ハンドル２０の操作により設定された比率で混合されて設定温度の混合水とされ、上記のカラン１４に向けて、或いはシャワーヘッドに向けて供給される。
【００５４】
図２における上記の混合バルブユニット５６が、周辺部とともに図４に拡大して詳しく示してある。
本実施形態の混合バルブユニット５６はサーモスタット式（自動温度調節機能付）のもので、弁ケース１１２を有しており、その弁ケース１１２ごと、上記の内ハウジング３８の内部に軸方向に挿入されて組み付けられている。
【００５５】
図４において、１１０は段付きの円筒形状をなす固定ナットで、内ハウジング３８内部に挿入された混合バルブユニット５６は、この固定ナット１１０を内ハウジング３８の端部にねじ結合することで、内ハウジング３８から抜止めされ、内ハウジング３８内部に固定される。
【００５６】
弁ケース１１２には、軸方向に互いに離隔した位置に水流入口１１６，湯流入口１１８が形成されており、これら水流入口１１６，湯流入口１１８を通じて水，湯が弁ケース１１２内部に流入する。
流入した水と湯とは混合室１２０で混合された後、その混合水が流出口１２２から図中右向きに流出する。
【００５７】
１２４，１２６はそれぞれ水流入口１１６，湯流入口１１８から流入する水，湯の流入量を調節する水側弁部，湯側弁部で、水流入口１１６，湯流入口１１８からの水と湯の流入量は、それぞれ水側弁部１２４，湯側弁部１２６の弁開度に応じて大小変化する。即ち混合室１２０での水と湯との混合比率が変化し、混合水温度が高低変化する。
【００５８】
弁ケース１１２の内部には、弁体ユニット１２８が図中左右方向（軸方向）に移動可能に設けられている。
この弁体ユニット１２８は、軸方向に離隔して設けられた水側弁体１３０と湯側弁体１３２、及びそれらを軸方向に連繋する連繋部１３４を有している。
【００５９】
ここで水側弁体１３０及び湯側弁体１３２はそれぞれ円筒形状（環状）をなしており、それぞれの外周面の軸方向中間位置に断面Ｕ字形状をなすシール部材１３６，１３８が保持されていて、それらシール部材１３６，１３８により水側弁体１３０及び湯側弁体１３２と弁ケース１１２との間が水密にシールされている。
【００６０】
連繋部１３４は湯側弁体１３２と一体に構成されている。
この連繋部１３４は、図５にも示しているように湯側弁体１３２の内側位置において十字状をなすように中心部から放射状に延びる複数（ここでは４つ）の補強板１４０と、この補強板１４０から軸方向且つ図中右方向に突き出した円筒部１４２とを一体に有している。
ここで補強板１４０は湯側弁体１３２を内側から補強する働きをなすもので、板面が軸方向に延びており、そして外周端が湯側弁体１３２に一体化されている。
この実施形態では、水流入口１１６，湯流入口１１８から流入した水と湯とが図中右向きに流れて混合室１２０に到り、そこで水と湯とが混合される。
【００６１】
混合室１２０には、形状記憶合金製のコイル形状の感温ばね（付勢部材）１４４が収容されており、その付勢力を軸方向の押圧力として弁体ユニット１２８に対し図中左向きに、即ち湯側弁体１３２を閉弁させ、水側弁体１３０を開弁させる方向に及ぼしている。
この形状記憶合金製の感温ばね１４４は混合室１２０内部の混合水温度に応じて伸縮し、混合水温度が設定温度となるように図中左向きの付勢力を変化させて、弁体ユニット１２８の位置を自動的に微調節する。
【００６２】
１４６は混合室１２０を形成するとともに感温ばね１４４の一端を当接させるばね受で、図中左端に外向きの係合爪１４８を有し、その係合爪１４８を弁ケース１１２の係合孔１５０に係合させることで、弁ケース１１２に組み付けられている。
【００６３】
上記水側弁体１３０は、湯側弁体１３２及び連繋部１３４とは別体に構成されている。
この水側弁体１３０には、図５にも明らかに示しているように内側が段付形状をなす円筒形状の嵌合部１５２が形成されており、その嵌合部１５２が、段付部１５４を円筒部１４２の先端面に当接させる状態に、円筒部１４２に外嵌状態に嵌合され組み付けられている。
詳しくは、円筒部１４２の内側には雌ねじ部１５６が形成されていて、そこに後述の弁軸２０６の先端部に形成された雄ねじ部１５８がねじ込まれている。
【００６４】
この弁軸２０６には押え部材としての止め輪１６０が装着されており、弁軸２０６の雄ねじ部１５８が円筒部１４２の内側の雌ねじ部１５６にねじ込まれることで、水側弁体１３０が止め輪１６０にて円筒部１４２に図中右向きに押し付けられ、連繋部１３４に組付固定されている。
【００６５】
図４に示しているように弁ケース１１２には、水側弁体１３０，湯側弁体１３２のそれぞれの軸方向の内側位置に、水側弁部１２４における水側弁座１６４，湯側弁部１２６における湯側弁座１６６が設けられており、それらに対し水側弁体１３０，湯側弁体１３２が軸方向に当接するようになっている。
詳しくは水側弁座１６４，湯側弁座１６６におけるそれぞれの弁座面１６８，１７０に対して水側弁体１３０，湯側弁体１３２が当接するようになっている。
【００６６】
この実施形態において、弁体ユニット１２８は通常の金属製のコイルばねから成るバイアスばね（付勢部材）１７２にて図中右向き、即ち湯側弁体１３２を開弁させ、水側弁体１３０を閉弁させる方向に付勢（押圧）されており、また混合室１２０内に設けられた感温ばね１４４にてこれとは逆方向の図中左向き、即ち湯側弁体１３２を閉弁させ、水側弁体１３０を開弁させる方向に付勢されている。
弁体ユニット１２８は、感温ばね１４４による図中左向きの付勢力と、バイアスばね１７２による図中右向きの付勢力とが釣合う位置に保持される。
【００６７】
図４に示しているように、弁ケース１１２には回転操作軸１７４が組み付けられている。
この回転操作軸１７４は、弁体ユニット１２８を弁ケース１１２の内部で軸方向、即ち図中左右方向に移動させて混合水温度を設定操作するためのもので、嵌合軸部１７６と、ハンドル連結部１７８とを有しており、その嵌合軸部１７６が弁ケース１１２の嵌合孔１８０に回転可能に内嵌されている。
ここで嵌合軸部１７６と弁ケース１１２の嵌合孔１８０との間はＯリング１８２にて水密にシールされている。
また弁ケース１１２から軸方向の左方に突き出したハンドル連結部１７８には、セレーション部１８４において温調ハンドル２０が一体回転状態に連結されるようになっている。
【００６８】
回転操作軸１７４は、弁ケース１１２の内部において大径の円筒部１８５を有しており、その円筒部１８５の図中左端の肩部と、回転操作軸１７４に装着された径方向に弾性を有する止め輪１８６にて、弁ケース１１２に軸方向に固定されている。
この円筒部１８５の内周面には雌ねじ部１８８が形成され、そこに円筒形状をなす駆動部材１９０が、外周面の雄ねじ部１９２において螺合されている。
この駆動部材１９０は、回転操作軸１７４の回転操作によってねじ送りで軸方向即ち図中左右方向に進退移動させられる。
【００６９】
この駆動部材１９０と弁体ユニット１２８との間には、ストッパリング１９４，ばね受１９６を介して通常の金属製のコイルばねからなる上記のバイアスばね１７２が介在させられており、バイアスばね１７２の図中右向きの付勢力が弁体ユニット１２８に対し図中右向きに及ぼされている。
尚、ばね受１９６には図中右端と左端とに内向きのフランジ部１９８，２００が設けられている。
【００７０】
一方、駆動部材１９０の図中右端には外向きのフランジ部２０２が設けられ、この外向きのフランジ部２０２が、一対のフランジ部１９８，２００の間においてばね受１９６内部を図中左右方向に相対移動可能とされている。
また駆動部材１９０には、内向きに突出した段付部２０４が図中左端に設けられていて、そこにストッパリング１９４が図中右向きに当接させられている。
【００７１】
上記のように弁体ユニット１２８からは図中左向きに弁軸２０６が延び出している。
弁軸２０６の左端側はストッパリング１９４を貫通して図中左向きに突出しており、その突出した端部に、ストッパリング１９４の内径よりも大径の頭部２０８が設けられている。
この頭部２０８には、弁軸２０６における上記の雄ねじ部１５８を連繋部１３４の雌ねじ部１５６にねじ込む際に工具掛け部となる係合溝が形成されている。
【００７２】
この実施形態では、回転操作軸１７４を正方向に回転操作すると、駆動部材１９０がねじ送り作用で図中右向きに前進させられ、これによりストッパリング１９４を介してバイアスばね１７２が圧縮せしめられ、弁体ユニット１２８に対する図中右向きの付勢力を増大させる。
また回転操作軸１７４を逆方向に回転操作すると、駆動部材１９０が図中左向きに後退移動させられて、バイアスばね１７２が延びる方向に変位し、弁体ユニット１２８に対する図中右向きの付勢力を弱くする。
【００７３】
この例の混合バルブユニット５６では、このようにして回転操作軸１７４を正方向又は逆方向に回転操作することで、弁体ユニット１２８に対するバイアスばね１７２の図中右向きの付勢力と、感温ばね１４４の図中左向きの付勢力との釣合位置が図中左右方向に変化し、これに伴って弁体ユニット１２８が図中左右方向にシフトせしめられる。即ち混合バルブユニット５６における混合水の温度が設定ないし設定変更される。
【００７４】
この混合バルブユニット５６では、弁体ユニット１２８が図中右向きに一杯まで移動して水側弁体１３０が水側弁座１６４の弁座面１６８に当接することで水流入口１１６が全閉、湯流入口１１８が全開となり、弁体ユニット１２８が逆方向に一杯まで移動して湯側弁体１３２が湯側弁座１６６の弁座面１７０に当接することで湯流入口１１８が全閉、水流入口１１６が全開状態となる。
またそれらの中間位置において水流入口１１６及び湯流入口１１８を開き、且つその開度を感温ばね１４４の温度感知に基づいて自動的に変化させ、水，湯の流入量を変化させて混合水温度を自動的に設定温度に調節する。
【００７５】
図４に示しているように温調ハンドル２０には、内周面に雌セレーション部を有するセレーション部材２１２が一体回転状態に装着されており、このセレーション部材２１２が、混合バルブユニット５６における上記のセレーション部１８４、詳しくは雄セレーション部にセレーション結合されることで、温調ハンドル２０が混合バルブユニット５６における回転操作軸１７４に一体回転状態に連結されている。
【００７６】
２１４は、温調ハンドル２０に備えられた安全ボタンで、ばね２１６により図中上向きの外向きに突出する側に付勢されている。
この安全ボタン２１４は、当接部２１８をストッパ部材２２０に当接させることによって、温調ハンドル２０を回転規制する働きを有する。
【００７７】
上記内ハウジング３８には、図９（Ｂ）に示しているように混合水をカラン１４側に流出させるための開口部６８と、シャワー側に流出させるための開口部７０とが、軸方向の同じ位置に内ハウジング３８の筒壁を貫通して設けられている。
ここでカラン１４側の開口部６８とシャワー側の開口部７０とは水栓本体１２の略中央部、詳しくは中央よりも僅かに図中左寄りの位置に設けられている。
【００７８】
図７に示しているように、外ハウジング３６には内ハウジング３８の開口部６８に対応する位置に開口部７２が設けられており、そこに筒部材がねじ結合されている。
そしてその筒部材によって、外ハウジング３６にカラン１４側の流出口部７４が設けられている。
そしてこの流出口部７４に対して、カラン１４が締結ナット７６にて回転可能にねじ結合されている。
ここで流出口部７４は、内ハウジング３８の開口部６８と外ハウジング３６の開口部７２との接続部も兼ねており、内ハウジング３８の開口部６８からの混合水をカラン１４へと流出させる。
【００７９】
外ハウジング３６にはまた、内ハウジング３８の開口部７０に対応した位置に開口部７８が設けられており、開口部７８に筒部材がねじ結合されている。
そしてその筒部材によって、前記したシャワー側の流出口部１６が外ハウジング３６に設けられている。
上記のシャワーエルボ１８は、このシャワー側の流出口部１６に対して回転可能にねじ結合されている。
従って図９（Ｂ）に示す内ハウジング３８のシャワー側の開口部７０からの混合水は、この流出口部１６を通じてシャワーエルボ１８内部、即ちシャワーヘッド側に流出する。
【００８０】
この実施形態では、図２及び図４に示すように上記の混合バルブユニット５６からの混合水をカラン１４側に流路切替えするカラン側の吐止水バルブユニット８０と、混合水をシャワー側に流路切替えするシャワー側の吐止水バルブユニット８２とが、外ハウジング３６と内ハウジング３８とにまたがって水栓本体１２に設けられている。
ここでカラン１４側の吐止水バルブユニット８０は、カラン１４からの吐止水及び吐水の流量調節の機能を備えている。
同様にシャワー側の吐止水バルブユニット８２も、シャワーヘッドからの吐止水及び吐水の流量調節の機能を備えている。
【００８１】
本実施形態において、これらカラン１４側の吐止水バルブユニット８０及びシャワー側の吐止水バルブユニット８２は、何れもその軸方向を外ハウジング３６及び内ハウジング３８の軸直角方向に向けて水栓本体１２に組み付けられている。
ここでカラン１４側の吐止水バルブユニット８０は、図７に示す内ハウジング３８の開口部６８及び外ハウジング３６の流出口部７４と同じ軸方向位置に、即ち水栓本体１２の略中央部、詳しくは中央よりも僅かに図中左寄りの位置に設けられている。
一方シャワー側の吐止水バルブユニット８２は、水栓本体１２の、温調ハンドル２０とは反対側の軸方向の端部に寄った位置に設けられている。
即ち、カラン１４側の吐止水バルブユニット８０と、シャワー側の吐止水バルブユニット８２とは軸方向に距離を隔てて配置されている。
【００８２】
一方内ハウジング３８には、図２及び図６に示しているように混合バルブユニット５６からの混合水をカラン１４側の吐止水バルブユニット８０，シャワー側の吐止水バルブユニット８２に送る主流路８４が軸方向に直線状に延びる形状で設けてある。
図１０に示しているように、主流路８４は横断面形状が３角形状をなしており、内ハウジング３８の外周側に寄った位置に一対設けられている。
【００８３】
内ハウジング３８にはまた、軸方向の先端で折り返して内ハウジング３８の、図７に示す上記の開口部７０に到る副流路８６が軸方向に直線状に延びる形状で、即ち主流路８４と平行方向に延びる形状で設けられている。
この副流路８６は、図１０（Ｅ），（Ｆ）に示しているように一対の主流路８４と８４との間の位置に設けられており、その横断面形状は概略円形状に近い形状をなしている。
【００８４】
図６に示しているように、内ハウジング３８にはカラン１４側の吐止水バルブユニット８０に対応する位置に、軸直角方向に立ち上がる円筒形状の外筒部８８と内筒部９０とが一体に設けられており、その内筒部９０の先端部にて主弁座９２が構成されている。
図１１，図１２にも示しているようにこの内筒部９０の外周側、即ち内筒部９０と外筒部８８との間には、上記の主流路８４に開口し、主流路８４からの混合水を後述の主弁１０６側に流入させる流入側の流路９４が形成されている。
【００８５】
また内筒部９０の内側に、主弁座９２を乗り越えた混合水を図７，図９（Ｂ）及び図１０（Ｄ）の、内ハウジング３８のカラン側の開口部６８に流出させる流出側の流路９６が形成され、そしてそれら流路９４，９６によって、主流路８４から分岐し内ハウジング３８のカラン側の開口部６８に到る分岐流路９８（図１１，図１２参照）が形成されている。
主流路８４を流れる混合水は、カラン１４側の吐止水バルブユニット８０の開弁によりこの分岐流路９８へと流れ、図７，図９（Ｂ）及び図１０（Ｄ）の内ハウジング３８の開口部６８を通じてカラン１４側へと流れ込み、その先端の吐水口から外部に吐水される。
【００８６】
内ハウジング３８には、また、シャワー側の吐止水バルブユニット８２に対応した位置においても、図６，図１０（Ｆ）に示しているように同様の外筒部８８，内筒部９０が軸直角方向に起立する形態で一体に設けられている。
そして内筒部９０の外周側、即ち内筒部９０と外筒部８８との間に、主流路８４に開口し、主流路８４からの混合水を主弁１０６側に流入させる流入側の流路９４が形成されている。
【００８７】
一方、内筒部９０の内周側の流路は上記の副流路８６に繋がっており、内筒部９０の内周側の流路と、この副流路８６とによって、内ハウジング３８の上記のシャワー側の開口部７０、即ちカラン側の開口部６８と軸方向の同じ位置のシャワー側の開口部７０に到る分岐流路１０２が形成されている。
【００８８】
即ち内ハウジング３８のカラン側の開口部６８は、カラン側の吐止水バルブユニット８０の直下の位置に位置しているのに対し、シャワー側の開口部７０は、対応するシャワー側の吐止水バルブユニット８２に対して軸方向に大きく離れた位置、具体的にはカラン側の開口部６８と同じ軸方向位置に位置しており、そして上記の副流路８６が、シャワー側の吐止水バルブユニット８２から軸方向に大きく隔たった位置の、内ハウジング３８のシャワー側の開口部７０と内筒部９０の内周側の流路とを連絡している。
即ちシャワー側の吐止水バルブユニット８２の側の分岐流路１０２が軸方向に大きく延び出して、開口部７０に到っている。
【００８９】
図６，図１１及び図１２において、カラン１４側の吐止水バルブユニット８０は円筒形状をなす筒部材１０４を外周部に有しており、その筒部材１０４が、外ハウジング３６の貫通の組付穴１０５を通じて軸直角方向に外ハウジング３６内部に挿入され、組み付けられている。
そしてこの筒部材１０４をバルブハウジングとして、その内部に後述のダイヤフラム弁から成る主弁１０６、及び操作部２８の操作に基づいて主弁１０６を駆動する駆動部１０８を含む弁機能部が組み込まれている。
【００９０】
この筒部材１０４は、挿入側の先端部が内ハウジング３８に一体に設けられた上記の外筒部８８に対して、シール部材によるシール状態の下で外嵌状態に水密に嵌合されており、また組付穴１０５への挿入部分において、同じくシール部材によるシール状態で組付穴１０５に対し内嵌状態に水密に嵌合せしめられている。
【００９１】
即ち筒部材１０４は、外ハウジング３６及び内ハウジング３８の何れに対してもシール部材により水密にシールされている。
ここで筒部材１０４は、図８に示しているように外ハウジング３６の外部において、平面形状が４角形状をなす鍔部２２２を有しており、その鍔部２２２の固定孔２２４において、外ハウジング３６に対しねじ締結具（図示省略）にて締結固定されている。
【００９２】
この筒部材１０４の、外ハウジング３６から上向きに突き出した部分の内周面には雌ねじ部が設けられており、そこに外周面に雄ねじ部を有する固定具２２６が下向きにねじ込まれている。
そしてその固定具２２６のねじ込みにより、上記の弁機能部が押圧部材２２８を介して下向きに押圧され、抜止状態に固定されている。
【００９３】
以下に、このカラン１４側の吐止水バルブユニット８０の詳細を説明する。
尚、シャワー側の吐止水バルブユニット８２の取付構造及びその詳細についても、基本的にカラン１４側の吐止水バルブユニット８０と同様であり、以下ではカラン１４側の吐止水バルブユニット８０についてのみ図１１〜図１６に基づいて詳細説明を行う。
【００９４】
図１１は、カラン側の吐止水バルブユニット８０を、ダイヤフラム弁から成る主弁１０６が閉弁した状態で表しており、また図１２は主弁１０６が開弁した状態で表している。
これらの図において、ダイヤフラム弁から成る主弁１０６は、シール部材を兼ねたゴム製のダイヤフラム膜２２９と硬質の主弁本体２３１とから成っている。
【００９５】
主弁１０６は、ダイヤフラム膜２２９の外周端部が、背圧室形成部材を兼ねた固定部材２３０と、内ハウジング３８の上記の外筒部８８とにより挟まれて固定され、それらによって保持されている。
そして中心部が軸心方向（図１１及び図１２中上下方向）に変位して主弁座９２との距離を変化させ、流路の開度を変化させる。
詳しくは、主弁１０６は主弁座９２への着座によって流路を遮断し、また主弁座９２から図中上向きに離間することによって流路を開放する。
また主弁座９２からの離間量に応じて流路の開度を大小変化させ、流路を流れる水の流量、即ち給水流量を調節する。
【００９６】
この主弁１０６の図中上側の背後には、圧力室２３４が形成されている。
圧力室２３４は、内部の圧力を主弁１０６に対して図中下向きの閉弁方向の押圧力として作用させる。
主弁１０６には、これを貫通して流路９４と圧力室２３４とを連通させる導入小孔２３８が設けられている。
この導入小孔２３８は、流路９４からの水を圧力室２３４に導いて圧力室２３４の圧力を増大させる。
【００９７】
主弁１０６にはまた、これを貫通して圧力室２３４と流路９６とを連通させる水抜水路としてのパイロット水路２４２が設けられている。
このパイロット水路２４２は、圧力室２３４内の水を流路９６に抜いて圧力室２３４の圧力を減少させる。
【００９８】
図１３及び図１４に示しているように主弁１０６にはまた、その中心部においてこれを軸心方向に貫通する貫通孔２４４が設けられており、そこに吐止水パイロット弁及び流調パイロット弁を兼ねた共通のパイロット弁２４６が挿通され、このパイロット弁２４６の外周面と貫通孔２４４の内周面との間に、通路幅が狭小な環状をなす上記パイロット水路２４２が形成されている。
この主弁１０６には、貫通孔２４４の内周面に沿って主弁１０６の軸心周りに環状をなすパイロット弁座２４８が一体に設けられている。
２５０はこのパイロット弁座２４８におけるシール部で、環状溝内部に環状をなす弾性シールリングとしてのＯリング２５２を保持ししている。
【００９９】
上記パイロット弁２４６はこのパイロット弁座２４８に対し、主弁１０６の軸心に沿って図中上下方向に進退移動可能に嵌合するようになっている。
詳しくはこのパイロット弁２４６は、断面円形をなし且つ図中上下方向即ち進退方向において外径が同径のシール部２５４（図１３，図１４参照）と、その下側（図中下側）の環状の凹所２５６とを有している。
環状の凹所２５６の軸方向の各端部は、凹所２５６の最小径部に向かって漸次小径となるテーパ面とされており、そのテーパ面の大径側の各端部に段付部２６０，２６２が形成されている。
【０１００】
尚、図１１及び図１３はパイロット弁２４６の止水時の状態を表しており、このときパイロット弁２４６はシール部２５４をＯリング２５２を介してパイロット弁座２４８に対し全周に亘って径方向に弾性接触させ、パイロット弁２４６とパイロット弁座２４８との間を水密にシールした状態にある。
またこのとき、主弁１０６は主弁座９２に着座した状態にあって、流路は閉鎖された状態にある。
【０１０１】
一方図１２及び図１４はパイロット弁２４６の吐水時の状態を表しており、このときパイロット弁２４６はシール部２５４がパイロット弁座２４８から離間した状態にあって、それらの間に微小な隙間を形成している。
またこのとき主弁１０６は主弁座９２から図中上向きに離間した状態にあって、流路を開いた状態にある。
【０１０２】
図１５，図１６はパイロット弁２４６の移動による流調（流量調節）時の作用を表している。
この実施形態では、流調の際にパイロット弁２４６はパイロット水路２４２を閉鎖することはなく、その移動によってパイロット水路２４２の開度だけを変化させる。
流調操作部３４の回転操作量がそのように規制されている。
【０１０３】
この実施形態では、図１５（Ｉ）に示しているようにパイロット弁２４６が図中上向きに後退移動すると、パイロット弁２４６とパイロット弁座２４８との間の隙間が大となり、圧力室２３４内の水がパイロット水路２４２を通じて流路９６側に多く抜け出して圧力室２３４の圧力が減少する。
そこで主弁としての主弁１０６が流路９４との圧力差により図中上向きに後退移動し、そして図１５（II）に示しているように、流路９４の圧力と圧力室２３４の圧力とがバランスする位置で主弁１０６の後退移動が停止する。
この主弁１０６の後退移動によって、主弁１０６と主弁座９２との間の隙間が大となり、流路９４から流路９６への水の流出量が増大する。
【０１０４】
この状態からパイロット弁２４６が更に図中上向きに後退移動させられると、圧力室２３４の圧力と流路９４との圧力をバランスさせるようにして、主弁１０６がパイロット弁２４６の後退移動に追従して後退移動し、流路の開度を更に広くして流路を流れる水の流量を増大させる（図１５(III)参照）。
【０１０５】
一方パイロット弁２４６が、図１６（Ｉ）に示しているように図中下向きに前進移動すると、パイロット弁２４６とパイロット弁座２４８との間、詳しくはパイロット弁２４６におけるシール部２５４とパイロット弁座２４８に保持されたＯリング２５２との間の隙間が小さくなって、即ちパイロット水路２４２の開度が小さくなって、圧力室２３４から流路９６に抜ける水の量が少なくなり、圧力室２３４の圧力が増大する。
【０１０６】
このため、その増大した圧力により主弁１０６が今度は図中下向きに前進移動して、圧力室２３４の圧力と流路９４との圧力をバランスさせる位置で停止する（図１６(II)参照）。
このとき主弁１０６と主弁座９２との間の隙間は小さくなって、即ち流路の開度が小さくなって、流路を流れる水の流量が減少する。
【０１０７】
そしてこの状態から更にパイロット弁２４６が図中下向きに前進移動すると流路の開度が更に小さくなり、流路を流れる水の流量が更に減少する（図１６(III)参照）。
【０１０８】
図１１及び図１２において、２６４は駆動軸で、この駆動軸２６４は一様な円形断面且つ一様な外径で軸方向に延びており、図中下部に上記のパイロット弁２４６が一体に構成されている。
【０１０９】
この駆動軸２６４と上記の回転ハンドル式の流調操作部３４との間には、流調操作部３４の回転操作により、その操作量に応じて駆動軸２６４をねじ送りで進退させて、パイロット弁２４６を図中上下方向に一体に進退移動させ、その位置を変化させる流調機構（図示省略）が設けられている。
【０１１０】
また駆動軸２６４と押ボタン式の上記の吐止水操作部３２との間には、吐止水操作部３２を押込操作するごとに一定のストロークで駆動軸２６４、即ちその先端部のパイロット弁２４６を上昇位置である吐水位置と下降位置である止水位置との間で移動させ、且つそれぞれの位置に位置保持する吐止水切替機構（図示省略）とが組み込まれている。
【０１１１】
ここで吐止水切替機構は、パイロット弁３４６を吐水位置と止水位置とに切り替え、且つそれぞれの位置に位置保持するスラストロック機構を備えている。
即ちこの実施形態では、流調操作部３４を回転操作すると回転量に応じてパイロット弁２４６が図中上下に進退移動して、主弁１０６をこれに追従して変位させる。それにより流量調節が行われる。
【０１１２】
一方吐止水操作部３２を押込操作するごとにパイロット弁２４６が所定ストローク上下方向に進退移動して、主弁１０６を開弁及び閉弁させる。
即ちその主弁１０６の開閉によって分岐流路９８の開閉、即ち混合水の流路切替えを行う。
尚、駆動軸２６４と圧力室２３４との間はＯリング２５２にて水密にシールされている。
【０１１３】
本実施形態では、以上のようにしてカラン１４側の吐止水バルブユニット８０の主弁１０６が閉弁状態から開弁することで、内ハウジング３８の上記の主流路８４の混合水がカラン１４側に流路切替えされてカラン１４から吐水される。また主弁１０６の開度に応じてカラン１４の吐水口からの吐水の流量が調節される。
また主弁１０６の閉弁によってカラン１４からの吐水の停止即ち止水が行われる。
【０１１４】
同様にシャワー側の吐止水バルブユニット８２の主弁１０６が閉弁状態から開弁することで、内ハウジング３８の主流路８４内の混合水がシャワー側へと流路切替えされ、シャワーヘッドから混合水が吐水される。
また主弁１０６の開度が変化することによって、シャワーヘッドからの吐水の流量が調節される。
そして主弁１０６が閉弁することで、シャワーヘッドからの吐水の停止即ち止水が行われる。
尚、図１１〜図１６に示した吐止水バルブユニットと基本的に同様の内容のものが特開２００７−４６７７０５号公報に詳しく開示されている。
【０１１５】
この実施形態において、回転ハンドル式の流調操作部３４には、図１７に示すように内面側に径方向内方に突出するアーム２７２が設けられていて、そのアーム２７４の端部に立上り部２７４が設けられている。
そしてこの立上り部２７４の内面に、上記の流調機構を働かせるための係合溝２７６が設けられている。
更にこの流調操作部３４と押ボタン式の吐止水操作部３２とにまがたって、吐止水操作部３２を押込位置即ち止水位置にロックするロック機構が設けられている。
【０１１６】
詳しくは、吐止水操作部３２の内面にはロック溝２７８が設けられており、また流調操作部３４の上記の立上り部２７４には対応するロック用の突部２８０が設けられており、流調操作部３４を最小流量位置まで回転操作し、そして吐止水操作部３２を押し込んで止水位置にこれを持ち来した上で、流調操作部３４を更に回転させると、流調操作部３４側のロック用の突部２８０が、吐止水操作部３２側のロック溝２７８に嵌り込み、ここにおいて吐止水操作部３２が押込位置、即ち止水位置にロックされる。
【０１１７】
以上のような本実施形態においては、カラン１４側の吐止水バルブユニット８０の操作部２８を操作するだけで、カラン１４からの吐水と止水及び吐水の流量調節を行うことができ、またシャワー側の吐止水バルブユニット８２の操作部３０を操作するだけで、シャワー側からの吐水と止水及び吐水の流量調節を行うことができる。
【０１１８】
従ってこの実施形態によれば、目的とする吐水部からの吐水と止水及び流量調節を行うに際し、吐止水バルブユニット８０，８２の何れの側を操作すれば良いかが分かり易く、従って目的とする吐止水バルブユニットとは異なった別の吐止水バルブユニットを誤って操作してしまうといったことが少なく、操作が容易で混合水栓１０が使い易くなる。
【０１１９】
またこの実施形態では、筒部材１０４を外ハウジング３６と内ハウジング３８とにまたがって取り付け、その筒部材１０４をバルブハウジングとして、内部に弁機能部を組み込むことで吐止水バルブユニット８０，８２を構成するようになしているため、それら吐止水バルブユニット８０，８２のそれぞれを簡単に構成することができるとともに、それらを容易に水栓本体１２に組み付けることができる。
【０１２０】
またこの実施形態では吐止水バルブユニット８０，８２を、その軸方向が内ハウジング３８及び外ハウジング３６の軸直角方向を向くようにして、外ハウジング３６及び内ハウジング３８に取り付けてあるため、各吐止水バルブユニット８０，８２の操作部２８，３０、具体的には吐止水操作部３２，流調操作部３４の軸線方向が、外ハウジング３６及び内ハウジング３８の軸直角方向に向くように設けることができ、これにより吐止水操作部３２及び流調操作部３４の正面を使用者に向けて配置することができ、使用者はそれら操作部を正面から操作し得て操作が分かり易く容易となり、操作性を良好となすことができる。
【０１２１】
特にこの実施形態では、吐止水バルブユニット８０，８２の取付面となる水栓本体１２の上面が、図８に示しているように前方斜め上向きに傾斜した傾斜面３０２とされていて、その傾斜面３０２に対して吐止水バルブユニット８０，８２が取り付けられ、またそれぞれの操作部２８，３０が設けられているため、使用者はそれら操作部２８，３０を視認し易く、それらの操作性をより一層良好となすことができる。
【０１２２】
本実施形態ではまた、内ハウジング３８に、各吐止水バルブユニット８０，８２の主弁１０６を着座させる主弁座９２を、各吐止水バルブユニット８０，８２に対応した位置に一体に形成していることから、別途に主弁座９２構成のための部品を必要とせず、所要部品点数が少なくなって、混合水栓１０のコストを低減することができる。
【０１２３】
更に本実施形態では、内ハウジング３８の内部の上記主流路８４及び副流路８６を、直線状に延びる形態で設けているため、内ハウジング３８を樹脂製とする場合において、成形後の脱型に際して主流路８４，８６の形状が脱型を阻害する要因とならず、内ハウジング３８を容易に樹脂の成形品とすることができ、これにより混合水栓１０のコストを安価とし、また混合水栓１０を軽量化することができる。
【０１２４】
本実施形態では、また、内ハウジング３８の内部の混合水の主流路８４から分岐し、混合水をカラン１４，シャワーヘッドに向けて流出させる分岐流路９８，１０２が設けてあるため、具体的には内ハウジング３８の開口部６８，７０まで到る分岐流路９８，１０２が設けてあるため、各吐止水バルブユニット８０，８２にて対応する分岐流路９８，１０２を開閉及び開度調節を行うことで、カラン１４，シャワーヘッドのそれぞれからの吐止水及び吐水の流量調節を行うことができる。
またその分岐流路９８，１０２が内ハウジング３８自体にて形成してあるため、分岐流路９８，１０２を形成するための部品を別途に必要とせず、必要部品点数を少なくし得て、混合水栓１０の内部構造を簡素化でき、またコストを低減することができる。
【０１２５】
更に本実施形態では、シャワー側の吐止水バルブユニット８２を、水栓本体１２の軸方向の端部側に設けているにも拘らず、シャワー側の分岐流路１０２における内筒部９０の内周側の流路を、軸方向に長く延びる副流路８６にて内ハウジング３８のシャワー側の開口部７０と連絡し、その開口部７０を外ハウジング３６の流出口部１６に接続しているため、流出口部１６の位置をシャワー側の吐止水バルブユニット８２の軸方向位置とは異なった任意の位置に、具体的にはここでは水栓本体１２の略中央部に配置しておくことができる。
そしてそのことによって、混合水栓１０の設置現場においてシャワーヘッドの位置が水栓本体１２に対して右側に位置している場合であっても、また左側に位置している場合であっても、同じ混合水栓１０を用いて対応することができ、シャワーヘッドの位置が右側であるか左側であるかによって、それに対応した混合水栓１０を用意しておかなくても良く、混合水栓１０の共通化を図ることができる。
【０１２６】
図１８は、本発明の他の実施形態を示している。
この例では、シャワー側の吐止水バルブユニット８２と同じ軸方向位置において、内ハウジング３８に、混合水をシャワー側に流出させるための開口部２７９を設け、そして内ハウジング３８に一体に設けたリブ２８１にてその内側に溝２８２を形成し、そこにシール部材２８４を嵌め込んで、これを内ハウジング３８と外ハウジング３６とで挟み込み、そのシール部材２８４によって、内ハウジング３８の開口部２７９と外ハウジング３６の上記のシャワー側の流出口部１６とを連絡する流路２８６を、内ハウジング３８と外ハウジング３６との間の空間の他部と区画して形成している。
【０１２７】
この実施形態では、上記実施形態のように内ハウジング３８に分岐流路１０２の一部をなす副流路８６を設けておかなくても、シャワー側の吐止水バルブユニット８２とは軸方向の異なった位置のシャワー側の流出口部１６に混合水を送り、そこからシャワーヘッドに向けて混合水を流出させることができる。
【０１２８】
図１９及び図２０は本発明の更に他の実施形態を示している。
この例では、シャワー側の吐止水バルブユニット８２の直下の位置、即ち同じ軸方向位置において、内ハウジング３８と外ハウジング３６とに、それぞれシャワー側の開口部７０，７８を設けて、それらを外ハウジング３６に設けた流出口部１６にて接続し、内ハウジング３８の主流路８４からの混合水を、その流出口部１６を通じてシャワー側へと送り出すようになしている。
【０１２９】
この例ではまた、上記の実施形態のように内ハウジング３８に外筒部８８，内筒部９０及びそれらによる主弁座９２，分岐流路１０２を内ハウジング３８に一体に形成せず、これに代えて内筒部９０，上部の外筒部８８，更に下部の嵌合部２８７を有する流路形成部材２８８をシャワー側の吐止水バルブユニット８２に組み込んでおき、そしてこの流路形成部材２８８を、上部の外筒部８８において筒部材１０４に嵌合させ、また下部の嵌合部２８７を内ハウジングの上記の開口部７０に嵌合させる状態に組み付けることで、かかる流路形成部材２８８にて主弁座９２及びシャワー側の分岐流路９８を形成している。
尚これらの構成についてはカラン側においても基本的に同様である。
この例では、内ハウジング３８に直線状をなす主流路８４のみが設けられており、上記実施形態のような副流路８６は設けられていない。
【０１３０】
この実施形態では、カラン側の吐止水バルブユニット８０の操作部２８を操作すると、直下の位置の流出口部７４から混合水がカラン１４に向けて流出する。
またシャワー側の吐止水バルブユニット８２の操作部３０を操作すると、主流路８４からの混合水がシャワー側の吐止水バルブユニット８２の直下の位置の流出口部１６からシャワーヘッドに向けて流出する。
【０１３１】
図２１は本発明の他の実施形態を示している。
この例は、直進移動する棒状のスライド部材にて流調操作部２９０を構成して、その流調操作部２９０に摘み２９２を設け、この流調操作部２９０の直進移動により、上記実施形態の流調操作部に相当するリング２９４を回転させることで、流量調節を行うようになした例である。
【０１３２】
この棒状の流調操作部２９０にはラックギヤ２９６が設けられており、このラックギヤ２９６とリング２９４のホイールギヤ２９８との噛合いにより、流調操作部２９０の直進移動によりリング２９４を回転させて流量調節を行う。
尚図中３００は操作部２８，３０のケースである。
この例の場合、摘み２９２の位置によって現在の流量がどれくらいであるかということが分かり易い利点がある。
【０１３３】
以上本発明の実施形態を詳述したがこれらはあくまで一例示である。
例えば上記実施形態では内ハウジング３８が第１部材３８-１と第２部材３８-２との２分割構成とされていて、それらが結合されて１つの内ハウジング３８を構成しているが、本発明では内ハウジング３８全体を一体に構成しておくことも可能である。
また本発明では３つ若しくはそれ以上の吐水部を設けるとともに、これに対応した数で吐止水バルブユニットを設け、各吐水部からの吐水と止水及び吐水の流量調節を、対応する吐止水バルブユニットにて行うようになすといったことも可能である。
また吐水部を２つ設ける場合において、一方の吐水部からは水を、他方の吐水部からは混合水を吐水させるようになすことも場合により可能である等、本発明はその趣旨を逸脱しない範囲において種々変更を加えた形態で構成可能である。
【符号の説明】
【０１３４】
１０  混合水栓
１２  水栓本体
１４  カラン
１６  流出口部
３６  外ハウジング
３８  内ハウジング
４６，５４，６０，６２，６８，７０，７２，７８  開口部
５６  混合バルブユニット
７４  流出口部
８０，８２  吐止水バルブユニット
８４  主流路
８６  副流路
９２  主弁座
９４，９６  流路
９８，１０２  分岐流路
１０４  筒部材
１０６  主弁
【図１】
0005861181.tif 000002
【図２】
0005861181.tif 000003
【図３】
0005861181.tif 000004
【図４】
0005861181.tif 000005
【図５】
0005861181.tif 000006
【図６】
0005861181.tif 000007
【図７】
0005861181.tif 000008
【図８】
0005861181.tif 000009
【図９】
0005861181.tif 000010
【図１０】
0005861181.tif 000011
【図１１】
0005861181.tif 000012
【図１２】
0005861181.tif 000013
【図１３】
0005861181.tif 000014
【図１４】
0005861181.tif 000015
【図１５】
0005861181.tif 000016
【図１６】
0005861181.tif 000017
【図１７】
0005861181.tif 000018
【図１８】
0005861181.tif 000019
【図１９】
0005861181.tif 000020
【図２０】
0005861181.tif 000021
【図２１】
0005861181.tif 000022